(57)【要約】【課題】インストルメントパネル内部に固定された電気接続箱へのアクセスを容易にし、電気接続箱の電気部品交換等のメンテナンス性を高める。【解決手段】自動車のインストルメントパネルの車室内に面する側壁中央に設けた開口に、スイッチパネルが前方へ取り出し可能に嵌合して取り付けられ、前記スイッチパネルの背面側のインストルメントパネル内部に電気接続箱が固定され、前記スイッチパネルの背面と対向する前記電気接続箱の表面にメンテナンスされる電気部品収容部を配置し、かつ、該電気接続箱と前記スイッチパネルとに無線通信手段と誘導給電手段を設け、前記電気接続箱のメンテナンス時に、前記スイッチパネルを前記開口より取り外し、該開口を電気接続箱のメンテナンス用開口としている。【選択図】図２
2011011639.tif 000002
【特許請求の範囲】
【請求項１】
自動車のインストルメントパネルの車室内に面する側壁中央に設けた開口に、スイッチパネルが前方へ取り出し可能に嵌合して取り付けられ、
前記スイッチパネルの背面側のインストルメントパネル内部に電気接続箱が固定され、
前記スイッチパネルの背面と対向する前記電気接続箱の表面にメンテナンスされる電気部品収容部を配置し、かつ、該電気接続箱と前記スイッチパネルとに無線通信手段と誘導給電手段を設け、
前記電気接続箱のメンテナンス時に、前記スイッチパネルを前記開口より取り外し、該開口を電気接続箱のメンテナンス用開口としていることを特徴とするインストルメントパネルへの電気接続箱取付構造。
【請求項２】
前記メンテナンスされる電気部品は、ヒューズあるいは／およびリレーである請求項１に記載のインストルメントパネルへの電気接続箱取付構造。
【請求項３】
前記無線通信手段は、２．４ＧＨｚ帯無線送受信機、赤外線送受信機、ＲＦＩＤのいずれかである請求項１または請求項２に記載のインストルメントパネルへの電気接続箱取付構造。
【請求項４】
前記誘導給電手段として前記電気接続箱に誘導給電用コイルを設け、該誘導給電用コイルから前記スイッチパネルに電源を供給している請求項１乃至請求項３のいずれか１項に記載のインストルメントパネルへの電気接続箱取付構造。
【請求項５】
前記スイッチパネルに電池を取り付けている請求項１乃至請求項４のいずれか１項に記載のインストルメントパネルへの電気接続箱取付構造。
【請求項６】
前記電気接続箱には前記メンテナンス用開口に面する位置にダイアグコネクタを取り付けている請求項１乃至請求項５のいずれか１項に記載のインストルメントパネルへの電気接続箱取付構造。
【請求項７】
前記電気接続箱には前記メンテナンス用開口に面する位置に、ＣＡＮ通信線と接続したコネクタと嵌合する分岐接続用のコネクタを設けている請求項１乃至請求項６のいずれか１項に記載のインストルメントパネルへの電気接続箱取付構造。
【発明の詳細な説明】
【技術分野】
【０００１】
本発明は自動車のインストルメントパネルへの電気接続箱取付構造に関し、詳しくは、インストルメントパネル内部に固定された電気接続箱のメンテナンス性を高めるものである。
【背景技術】
【０００２】
自動車のインストルメントパネル内部には、電装品への給電や制御等に用いるワイヤハーネスが接続される電気接続箱が配置されている。例えば、特開２００７−１７６４０５号公報（特許文献１）には、図７（Ａ）、（Ｂ）のように、インストルメントパネル１の中央にあるセンタークラスター２内部に電気接続箱３を配置し、該電気接続箱３に設けたスイッチの操作部４をセンタークラスター２から露出させることが提案されている。このように、インストルメントパネル中央のセンタークラスター２内部に電気接続箱３を配置することにより、電気接続箱３と各電装品（図示せず）とを接続するワイヤハーネスＷ／Ｈの取り回し距離を短くすることが可能となる。
【０００３】
一方、電気接続箱３にはヒューズやリレー等の電気部品５が搭載されており、これらの電気部品交換等のメンテナンスが必要になる場合がある。しかし、前記構成では、メンテナンス時に、まず、インストルメントパネル１の取り外しが必要となり、電気接続箱３へのアクセスが容易ではなくメンテナンス性が良くないという問題がある。
【先行技術文献】
【特許文献】
【０００４】
【特許文献１】特開２００７−１７６４０５号公報
【発明の概要】
【発明が解決しようとする課題】
【０００５】
本発明は前記問題に鑑みてなされたものであり、インストルメントパネル内部に固定された電気接続箱へのアクセスを容易にし、電気接続箱の電気部品交換等のメンテナンス性を高めることを課題としている。
【課題を解決するための手段】
【０００６】
前記課題を解決するため、自動車のインストルメントパネルの車室内に面する側壁中央に設けた開口に、スイッチパネルが前方へ取り出し可能に嵌合して取り付けられ、
前記スイッチパネルの背面側のインストルメントパネル内部に電気接続箱が固定され、
前記スイッチパネルの背面と対向する前記電気接続箱の表面にメンテナンスされる電気部品収容部を配置し、かつ、該電気接続箱と前記スイッチパネルとに無線通信手段と誘導給電手段を設け、
前記電気接続箱のメンテナンス時に、前記スイッチパネルを前記開口より取り外し、該開口を電気接続箱のメンテナンス用開口としていることを特徴とするインストルメントパネルへの電気接続箱取付構造を提供している。
【０００７】
前記のように、インストルメントパネルの車室内に面する側壁中央に設けた開口に、スイッチパネルを前方に取り出し可能に嵌合させて取り付けると共に、メンテナンスされる電気接続箱の電気部品収容部が前記スイッチパネルの背面と対向するように、インストルメントパネルの内部に電気接続箱を固定する構造としている。したがって、電気接続箱のメンテナンスが必要な場合には、スイッチパネルを前記開口から前方へ取り外すだけで、前記開口が電気接続箱のメンテナンス用開口となり、メンテナンスが必要な電気接続箱の電気部品収容部に容易にアクセスできる。よって、電気接続箱の電気部品交換等を容易に行うことができる。
【０００８】
特に、前記構成によれば、電気接続箱とスイッチパネルとに無線通信手段を設けているため、スイッチパネルから電気接続箱へのスイッチ操作信号や、電気接続箱からスイッチパネルへのインジケータ点灯信号などの信号の送受信を無線で行うことができる。よって、電気接続箱とスイッチパネルを電線等で接続する必要がなくなり、スイッチパネルの取り外しを容易に行うことができる。
【０００９】
さらに、前記構成によれば、電気接続箱とスイッチパネルとに誘導給電手段を設けているため、電気接続箱からスイッチパネルへ電源供給を行うために電気接続箱とスイッチパネルを電線等で接続する必要がなくなり、スイッチパネルの取り外しを容易に行うことができる。
このように、本発明の前記構成によって電気接続箱のメンテナンス性を大幅に向上させることができる。
【００１０】
前記スイッチパネルには、例えば、エアコンやオーディオ等、種々の操作スイッチを設けておくことができる。また、前記スイッチパネルは、例えば、スイッチパネルの側壁に設けた係止部を、前記開口の内周壁の対応位置に設けた被係止部に係止させ、該係止を比較的容易に解除できる構成とすることによって開口に取り付けることができる。さらに、前記電気接続箱は、インストルメントパネル内部の車体パネルあるいはインストルメントパネルの内側面にボルト締結等で固定してもよい。
【００１１】
前記メンテナンスされる電気部品は、ヒューズやリレー等である。
本発明では、過電流によりヒューズが溶断したり、リレーに不具合が生じたりした場合でも、スイッチパネルを前方に取り外すだけで前記開口からヒューズやリレーの交換を容易に行うことができる。
【００１２】
前記無線通信手段は、２．４ＧＨｚ帯無線送受信機、赤外線送受信機、ＲＦＩＤのいずれかであることが好ましい。
【００１３】
また、前記誘導給電手段として前記電気接続箱に誘導給電用コイルを設け、該誘導給電用コイルから前記スイッチパネルに電源を供給していることが好ましい。
この際、前記スイッチパネルにもコイルを設け、スイッチパネルを前記開口に嵌合させて取り付けたときに、電気接続箱側およびスイッチパネル側の双方のコイルが近接配置されることが好ましい。また、誘導給電により供給される電力は交流であるため、スイッチパネルに交流−直流変換回路を設け、直流に変換してからスイッチパネルに電力を供給することが好ましい。
【００１４】
また、前記スイッチパネルに電池を取り付けていてもよい。
前記のように、スイッチパネルに電池を取り付けることによっても、電気接続箱とスイッチパネルを電線等で接続することなくスイッチパネルに電源を供給できるため、スイッチパネルの取り外しを容易に行うことができる。また、スイッチパネルに電池を取り付けることで、スイッチパネルを取り外した状態でもスイッチパネルの操作ができるという利点も有している。
【００１５】
さらに、前記電気接続箱には前記メンテナンス用開口に面する位置にダイアグコネクタを取り付けていることが好ましい。
【００１６】
ダイアグコネクタは、自動車に搭載された電装機器の故障診断や動作チェックなどを行う外部機器と接続するためのコネクタであり、通常、運転席のハンドル下方付近に設けられることが多い。しかし、前記のように、ダイアグコネクタをインストルメントパネル内部の電気接続箱に設けることにより、ダイアグコネクタに誤って接触してショート等の異常が発生するのを防止できる。また、ダイアグコネクタを電気接続箱の前記メンテナンス用開口に面する位置に設けることにより、従来の設置位置に比べ、外部機器をダイアグコネクタに接続して故障診断や動作チェック等を行う際の作業性を高めることができる。
【００１７】
また、前記電気接続箱には前記メンテナンス用開口に面する位置に、ＣＡＮ通信線と接続したコネクタと嵌合する分岐接続用のコネクタを設けていることも好ましい。
【００１８】
ＣＡＮ通信線と接続するコネクタと嵌合する分岐接続用のコネクタは、通常、運転席の足元付近などに設けられており、ＣＡＮ通信異常が発生した場合にはＣＡＮノード装置につながるＣＡＮ通信線のコネクタを前記分岐接続用のコネクタから外して異常箇所を特定できるようにしている。
前記のように、ＣＡＮ通信線と接続するコネクタと嵌合する分岐接続用のコネクタをインストルメントパネル内部の電気接続箱に設けることにより、誤ってコネクタに接触してコネクタ外れ等の不具合が発生するのを防止することができる。また、分岐接続用のコネクタを電気接続箱のメンテナンス用開口に面する位置に設けることにより、従来の設置位置に比べ、通信異常箇所の特定作業をする際の作業性を高めることができる。
【発明の効果】
【００１９】
前述したように、本発明によれば、インストルメントパネルの車室内に面する側壁中央に設けた開口に、スイッチパネルを前方に取り出し可能に嵌合させて取り付けると共に、メンテナンスされる電気接続箱の電気部品収容部が前記スイッチパネルの背面と対向するようにインストルメントパネルの内部に電気接続箱を固定しているため、電気接続箱のメンテナンスが必要な場合には、スイッチパネルを前記開口から前方へ取り外すだけで前記開口が電気接続箱のメンテナンス用開口となり、メンテナンスの必要な電気接続箱の電気部品収容部に容易にアクセスできる。よって、電気接続箱の電気部品交換等を容易に行うことができ、メンテナンス性を大幅に向上させることができる。
特に、前記のように、電気接続箱とスイッチパネルとに無線通信手段および誘導給電手段を設けているため、電気接続箱とスイッチパネルを電線等で接続しなくても電気接続箱とスイッチパネルとの通信やスイッチパネルへの給電が可能となり、スイッチパネルの取り外しを容易に行うことができる。
【図面の簡単な説明】
【００２０】
【図１】第１実施形態において、スイッチパネルをインストルメントパネルの開口に取り付けた状態を示す概略斜視図である。
【図２】スイッチパネルを開口より前方に取り外した状態を示す概略斜視図である。
【図３】電気接続箱およびスイッチパネルを示す概略斜視図である。
【図４】（Ａ）は電気接続箱に設ける誘導給電装置の構成を示す説明図、（Ｂ）はスイッチパネルに設ける誘導給電装置の構成を示す説明図である。
【図５】第２実施形態における電気接続箱の概略斜視図である。
【図６】第３実施形態における電気接続箱の概略斜視図である。
【図７】従来例を示す図である。
【発明を実施するための形態】
【００２１】
以下、本発明の実施形態を図面を参照して説明する。
図１〜図４に本発明の第１実施形態を示す。
【００２２】
図１および図２に示すように、自動車のインストルメントパネル１０の車室内に面する側壁中央に開口１１を設け、該開口１１に、オーディオやエアコンの操作スイッチを設けたスイッチパネル１３を前方へ取り外し可能に嵌合させて取り付けている。本実施形態では、スイッチパネル１３の側壁に係止爪１３ａを設け、開口１１の内周壁の対応位置に設けた被係止溝１１ａに前記係止爪１３ａを係止させることによってスイッチパネル１３を開口１１に取り付けている。
【００２３】
また、図２および図３に示すように、スイッチパネル１３の背面側のインストルメントパネル１０内部に電気接続箱１２を固定している。電気接続箱１２の表面には、ヒューズ２０およびリレー２１が収容される電気部品収容部１２ａを配置している。これらのメンテナンスの必要な電気部品収容部１２ａをスイッチパネル１３の背面に対向させるように、電気接続箱１２をインストルメントパネル１０内部に固定している。
電気接続箱１２はインストルメントパネル１０内部の車体パネル（図示せず）にボルト締結で固定している。
【００２４】
電気接続箱１２とスイッチパネル１３には、無線通信手段として２．４ＧＨｚ帯無線送受信機１４、１５を設けている。また、スイッチパネル１３に電源を供給するために、電気接続箱１２とスイッチパネル１３に、誘導給電装置１６、１７を設けている。電気接続箱１２側の誘導給電装置１６には誘導給電用コイル１６ａを設けると共に、スイッチパネル１３側の誘導給電装置１７にも前記誘導給電用コイル１６ａと同様のコイル１７ａを設け、スイッチパネル１３をインストルメントパネル１０の開口１１に取り付けた際、双方のコイル１６ａ、１７ａが近接配置されるようにしている。また、誘導給電により供給される電力は交流であるため、スイッチパネル１３側の誘導給電装置１７には、コイル１７ａに連続して交流−直流変換回路１７ｂを設け、直流に変換してスイッチパネル１３に電源を供給している（図４）。
なお、本実施形態では無線通信手段として２．４ＧＨｚ帯無線送受信機１４、１５を設けているが、赤外線送受信機やＲＦＩＤを用いてもよい。また、スイッチパネル１３に電池を取り付けていてもよい。
【００２５】
前記のように、インストルメントパネル１０の車室内に面する側壁中央に設けた開口１１に、スイッチパネル１３を前方に取り出し可能に嵌合させて取り付けると共に、メンテナンスされる電気接続箱１２の電気部品収容部１２ａがスイッチパネル１３の背面と対向するようにインストルメントパネル１０の内部に電気接続箱１２を固定している。
電気接続箱１２のメンテナンスが必要な場合には、スイッチパネル１３を開口１１から前方(矢印方向)へ取り外すだけで開口１１が電気接続箱１２のメンテナンス用開口となり、メンテナンスの必要な電気接続箱１２の電気部品収容部１２ａに容易にアクセスすることができる。よって、電気接続箱１２の電気部品交換等を容易に行うことができ、電気接続箱１２のメンテナンス性を大幅に向上させることができる。
特に、前記のように、電気接続箱１２とスイッチパネル１３とに２．４ＧＨｚ帯無線送受信機１４、１５と誘導給電装置１６、１７を設けているため、電気接続箱１２とスイッチパネル１３を電線等で接続しなくても電気接続箱１２とスイッチパネル１３との通信やスイッチパネル１３への給電が可能となり、スイッチパネル１３の取り外しを容易に行うことができる。
【００２６】
図５に第２実施形態を示す。
第２実施形態では、電気接続箱１２のメンテナンス用開口１１に面する位置に図５に示すようなダイアグコネクタ１２ｂを取り付けている。
他の構成は第１実施形態と同様としている。
【００２７】
前記のように、ダイアグコネクタ１２ｂをインストルメントパネル１０内部の電気接続箱１２に設けることにより、ダイアグコネクタに誤って接触してショート等の異常が発生するのを防止できる。また、ダイアグコネクタ１２ｂを電気接続箱１２のメンテナンス用開口１１に面する位置に設けることにより、外部機器（図示せず）をダイアグコネクタ１２ｂに接続して故障診断や動作チェック等を行う際の作業性を向上させることができる。
【００２８】
図６に第３実施形態を示す。
第３実施形態では、電気接続箱１２のメンテナンス用開口１１に面する位置に、ＣＡＮノード装置２２につながるＣＡＮ通信線(ツイストペア電線)２３と接続したメスコネクタ２４と嵌合する分岐接続用のオスコネクタ１２ｃを設けている。
他の構成は第１実施形態と同様としている。
【００２９】
前記のように、ＣＡＮ通信線２３と接続するメスコネクタ２４と嵌合する分岐接続用のオスコネクタ１２ｃをインストルメントパネル１０内部の電気接続箱１２に設けることにより、誤ってコネクタに接触してコネクタ外れ等の不具合が発生するのを防止することができる。また、分岐接続用のオスコネクタ１２ｃを電気接続箱１２のメンテナンス用開口１１に面する位置に設けることにより、通信異常箇所の特定作業をする際の作業性を向上させることができる。
【符号の説明】
【００３０】
１０  インストルメントパネル
１１  開口（メンテナンス用開口）
１２  電気接続箱
１２ａ  電気部品収容部
１２ｂ  ダイアグコネクタ
１２ｃ  分岐接続用のコネクタ
１３  スイッチパネル
１４、１５  ２．４ＧＨｚ帯無線送受信機
１６、１７  誘導給電装置
１６ａ、１７ａ  コイル
１７ｂ  交流−直流変換回路
２０  ヒューズ
２１  リレー
２２  ＣＡＮノード装置
２３  ＣＡＮ通信線
２４  コネクタ
【図１】
2011011639.tif 000003
【図２】
2011011639.tif 000004
【図３】
2011011639.tif 000005
【図４】
2011011639.tif 000006
【図５】
2011011639.tif 000007
【図６】
2011011639.tif 000008
【図７】
2011011639.tif 000009